(57)【要約】【課題】簡易なゴルフゲームに使用され、実用する際に不便な点が生じることがないゴルフ用具を提供することを目的とする。【解決手段】ＯＫゾーンを形成するＯＫゾーン形成体をグリーンに固定するためのゴルフ用具において、ＯＫゾーン形成体と係合される係合部１４−３と、グリーンに挿入される本体部１４−４とを備え、本体部１４−４の表面を凹凸状に形成することにより、グリーンに本体部１４−４を刺したときにグリーンから本体部１４−４を抜け難くする。【選択図】　図２
2004135865.tif 000002
【特許請求の範囲】
【請求項１】
グリーン内に設けられるＯＫゾーンにゴルフボールを留めて競うゴルフ競技に使用され、上記ＯＫゾーンを形成するＯＫゾーン形成体を上記グリーンに固定するためのゴルフ用具であって、
上記ＯＫゾーン形成体と係合される係合部と、
上記グリーンに挿入される本体部と、
を備え、
上記本体部の表面が凹凸状に形成されていることを特徴とするゴルフ用具。
【請求項２】
グリーン内に設けられるＯＫゾーンにゴルフボールを留めて競うゴルフ競技に使用され、上記ＯＫゾーンを形成するゴルフ用具であって、
縁部に糊代を有する円形の人工芝と、
上記ＯＫゾーンの形を維持するための維持部材と、
を備え、
上記糊代により上記維持部材を固定していることを特徴とするゴルフ用具。
【請求項３】
グリーン内に設けられるＯＫゾーンにゴルフボールを留めて競うゴルフ競技に使用され、上記ＯＫゾーンを形成するゴルフ用具の作成方法であって、
人工芝を所定の直径の円形にカットし、
上記円形にカットされた人工芝の縁部に、糊代を形成し、
上記円形にカットされた人工芝の裏面に上記ＯＫゾーンを形成する型をセットし、
上記糊代を上記人工芝の裏面側に折り、該糊代により上記ＯＫゾーンの型を固定することを特徴とするゴルフ用具作成方法。
【請求項４】
シャフトの両端にクラブヘッドを形成したゴルフ用具であって、
上記クラブヘッドは、上記一方のクラブヘッドの打球面と上記他方のクラブヘッドの打球面とが角度を有して上記シャフトの両端に形成されていることを特徴とするゴルフ用具。
【請求項５】
請求項４に記載のゴルフ用具であって、
上記角度は、１２度から２４度であることを特徴とするゴルフ用具。
【請求項６】
グリーン内に設けられるＯＫゾーンにゴルフボールを留めて競うゴルフ競技に使用され、上記ＯＫゾーンを形成するゴルフ用具であって、
台座と、
上記台座に立設されるポールと、
上記ポールに保定され、且つ、底面から外側へ傾斜して上がる側面部を有するボール保持体と、
上記台座の底面から下方に伸びる固定部材と、
を備えることを特徴とするゴルフ用具。
【発明の詳細な説明】
【０００１】
【発明の属する技術分野】
本発明は、ゴルフ用具に関し、特に、ミニゴルフやＯＫゴルフに使用されるゴルフ用具に関する。
【０００２】
【従来の技術】
本格的なゴルフゲームを楽しむには郊外の丘陵地等に造成された広大なゴルフコースへ出向く必要があり、また、プレーに要する時間も長くかかり、費用も甚だ多く要する。そのため、ゴルフ愛好家の中には安直にゴルフを楽しめないという不満を抱いている人が多い。そこで、そうしたゴルフ愛好家の要望に応えるために、比較的小規模なゴルフコースやテニスコート或は屋内運動場を利用したゴルフコースが提案され、それらは「ミニゴルフ」或は「ＯＫゴルフ」と呼ばれるゴルフ施設が実用されるようになっている。
【０００３】
このミニゴルフというのは、ティーグランドから競技を開始して、グリーン上のホールにゴルフボールをカップインする点は現行のゴルフと変わりないが、各ホールの長さ及び大きさを現行のゴルフ場のものよりも小さくし、敷地面積を一万６千坪乃至５万坪としている。そして、一定のルールに基づいて競技が行われる。
【０００４】
また、前記ＯＫゴルフというのは、前記ミニゴルフよりももっと小規模なゴルフ場で競技ができ、９ホール・パー３６又は６ホール・パー１８〜２４で競技を行う。ゴルフ場の敷地面積は八千坪乃至２万五千坪程度で足り、ホールの周囲にＯＫゾーンという領域を設定し、このＯＫゾーン内に打球が留まったら、ボールがホールに入らなくとも競技打数に一打追加してホールアウトできるといった特色のあるゴルフ競技である。（例えば、特許文献１参照）
ところで、このようなＯＫゴルフの競技で使用されるゴルフ用具は、現行のゴルフ競技で使用されるゴルフ用具とは異なるものが使用出来る。このＯＫゴルフの競技で使用されるゴルフ用具としてＯＫゾーンを形成するためのＯＫゾーン形成体がある。このＯＫゾーン形成体は、主に、スチール製１．５φ〜２．０φの樹脂でコーティングされたワイヤーを直径約８０〜９１ｃｍのリング状で構成される。そして、ＯＫゾーン形成体は、その中心位置がグリーン上のホールと重なる位置に置かれ、ＯＫゾーン形成体の要所要所は、ステイプルと呼ばれる留め金で固定させる。（例えば、特許文献１又は特許文献２参照）
また、ＯＫゾーン形成体をワイヤーで構成する他に、人工芝等で構成されるＯＫゾーン形成体がある。このＯＫゾーン形成体は、予めグリーン上（復元性部材の上）に複数設けられており、そのＯＫゾーン内のホールの蓋を取り外すことで、使用するＯＫゾーンの位置を決めている。また、各ＯＫゾーン形成体の人工芝の色を変えて、競技の開始前に使用するＯＫゾーンの色を決めるようにしている。このように、複数のＯＫゾーン形成体を設けていき、ＯＫゾーンの位置を変更できるようにしている。（例えば、特許文献３参照）
また、このようなＯＫゴルフの競技で使用されるゴルフ用具として、図１１（ａ）に示すように、クラブヘッドがシャフトの両端に設けられているゴルフクラブ１１０がある。このゴルフクラブ１１０は、一本のゴルフクラブで異なる種類のクラブの役を担わせるように構成したので、一組のゴルフクラブセットに要するゴルフクラブの本数を削減することができ、持ち運び易く、経済的にも有利なゴルフ用具である。（例えば、特許文献４参照）
また、このような簡易なゴルフゲームを屋内で行えるようにしたものもある。屋内で行えるようにされたゴルフゲームは、春夏秋冬、風雨に左右されず、寒暖にも左右され難い情況の下で競技を行い得ることから愛好家が増えている。そして、このような屋内ゴルフの競技で使用されるゴルフ用具として、図１１（ｂ）に示すような、ゴルフホール１１１がある。このゴルフホール１１１は、台座やボール保持体などを備え、単に床面や地面に置くだけでよく、パター等でゴルフボールを台座とボール保持体の間に向けて打ち、旨い具合にそのゴルフボールが台座とボール保持体の間に挟まれて止まれば、通常のゴルフゲームで云うカップインしたのと同様に扱うものである。また、このゴルフホール１１１は、屋外でも使用可能である。（例えば、特許文献５参照）
【０００５】
【特許文献１】
特開平８―１０３５２３号公報　（第２頁−第３頁、第１図、第２図）
【０００６】
【特許文献２】
特開平９−７５５０２号公報　（第５頁、第７図）
【０００７】
【特許文献３】
登録実用新案第２５４２２３４号公報　（第３頁、第１図）
【０００８】
【特許文献４】
実開平７−１３３６７号　（第２頁、第１図）
【０００９】
【特許文献５】
特開２０００−５１４２５号　（第３頁−第４頁、第１図）
【００１０】
【発明が解決しようとする課題】
しかしながら、上述したような簡易なゴルフゲームで使用される各ゴルフ用具は、実用する際に不便な点が生じる。
すなわち、例えば、ワイヤーなどで構成されるＯＫゾーン形成体は、グリーンに固定するのために、留め金で固定しているが、ゴルフゲームのプレー中にプレイヤーがワイヤーを引っ掛けるなどして、ＯＫゾーン形成体が元の設置位置からずれてしまうことがあり、そのずれを直すためにプレーが中断してしまうなどの問題がある。
【００１１】
また、例えば、人工芝で構成される従来のＯＫゾーン形成体は、芝が枯れる心配がなく、天然芝よりも寿命が長いが、使用回数が増えるにつれて損傷または汚れが目立つようになると、ＯＫゾーン形態体を交換する必要がある。そして、この従来のＯＫゾーン形成体は、ＯＫゾーンを含むグリーン全体が人工芝であるため、離脱或は装着の際には数人がかりで作業しなくてならないなど、ＯＫゾーン形成体をグリーンに設置しようとすると手間や費用が大変かかるといった問題などがある。
【００１２】
また、例えば、図１１（ａ）のようなシャフトの両端にグラブヘッドが設けられているゴルフクラブ１１０は、プレイヤー側にあるクラブヘッドがプレイヤーの手や腕などに当り、思うようにスイングできないという問題がある。
また、例えば、図１１（ｂ）のようなゴルフホール１１１を屋外で使用する場合、台座により単にグリーンに置かれるだけなので、風雨により設置当初の位置から動いてしまう等、安定性があまり良くないという問題がある。
【００１３】
そこで、本発明は、上記各問題点を考慮に入れ、実用する際に不便な点が生じることがない簡易ゴルフに使用されるゴルフ用具を提供することを目的とする。また、他の具体的な目的として、ワイヤー等で構成されるＯＫゾーン形成体のグリーンへの固定強度を上げることができるゴルフ用具を提供する。
【００１４】
また、他の具体的な目的として、人工芝で構成されるＯＫゾーン形成体のグリーンへの設置作業を簡単にすることができるゴルフ用具を提供する。
また、他の具体的な目的として、シャフトの両端にクラブヘッドが設けられるゴルフクラブにおいて、使用時、プレイヤー側に向いているクラブヘッドが邪魔にならないゴルフ用具を提供することを目的とする。
【００１５】
また、屋外で使用する際でも安定性のあるゴルフホール型のゴルフ用具を提供することを目的とする。
【００１６】
【課題を解決するための手段】
上記の課題を解決するために本発明では、以下のような構成を採用する。
すなわち、本発明のゴルフ用具は、グリーン内に設けられるＯＫゾーンにゴルフボールを留めて競うゴルフ競技に使用され、上記ＯＫゾーンを形成するＯＫゾーン形成体を上記グリーンに固定するためのゴルフ用具であって、上記ＯＫゾーン形成体と係合される係合部と、上記グリーンに挿入される本体部とを備え、上記本体部の表面が凹凸状に形成されていることを特徴とする。
【００１７】
例えば、上記本体部の中央部分に、突起部材を設けるようにしてもよく、このように、本体部分の表面が凹凸状に形成されることにより、本体部をグリーンに刺したときに、本体部がグリーンから抜けにくくなるので、ＯＫゾーン形成体におけるグリーンへの固定強度を上げることができる。
【００１８】
また、本発明のゴルフ用具は、グリーン内に設けられるＯＫゾーンにゴルフボールを留めて競うゴルフ競技に使用され、上記ＯＫゾーンを形成するゴルフ用具であって、縁部に糊代を有する円形の人工芝と、上記ＯＫゾーンの形を維持するための維持部材とを備え、上記糊代により上記維持部材を固定していることを特徴とする。
【００１９】
また、本発明のゴルフ用具の作成方法は、グリーン内に設けられるＯＫゾーンにゴルフボールを留めて競うゴルフ競技に使用され、上記ＯＫゾーンを形成するゴルフ用具の作成方法であって、人工芝を所定の直径の円形にカットし、上記円形にカットされた人工芝の縁部に、糊代を形成し、上記円形にカットされた人工芝の裏面に上記ＯＫゾーンを形成する型をセットし、上記糊代を上記人工芝の裏面側に折り、該糊代により上記ＯＫゾーンの型を固定することを特徴とする。
【００２０】
このように、ＯＫゾーンの形成するための人工芝を予め作成しておくことで、天然芝のグリーンに簡単な凹地を設けるだけで、ＯＫゾーンをグリーンに簡単に作成するができる。
また、本発明のゴルフ用具は、シャフトの両端にクラブヘッドを形成したゴルフ用具であって、上記クラブヘッドは、上記一方のクラブヘッドの打球面と上記他方のクラブヘッドの打球面とが角度を有して上記シャフトの両端に形成されていることを特徴とする。
【００２１】
そして、上記ゴルフ用具は、上記角度は、１２度から２４度であることが望ましい。
これより、プレイヤー側にあるクラブヘッドがプレイヤーの手や腕などに当ることがなくなる。
【００２２】
また、本発明のゴルフ用具は、グリーン内に設けられるＯＫゾーンにゴルフボールを留めて競うゴルフ競技に使用され、上記ＯＫゾーンを形成するゴルフ用具であって、台座と、上記台座に立設されるポールと、上記ポールに保定され、且つ、底面から外側へ傾斜して上がる側面部を有するボール保持体と、上記台座の底面から下方に伸びる固定部材とを備える。
【００２３】
これより、上記固定部材を天然芝のパッティンググリーンの所定箇所に刺すことによって、グリーンに固定されるので、雨風の強い日においても安心して競技を行うことができる。
【００２４】
【発明の実施の形態】
以下、本発明の実施の形態を図面を用いて説明する。
図１は、本発明の実施形態であるゴルフ用具を示す図である。
図１に示されるゴルフ用具は、ＯＫゴルフのＯＫゾーンを形成するためのＯＫゾーン形成体１０を説明するための図であり、図１（ａ）は、ＯＫゾーン形成体１０を示し、同図（ｂ）は、ＯＫゾーン形成体１０の継手部材１１を示し、同図（ｃ）は、ＯＫゾーン形成体の実際の使用例を示している。
【００２５】
図１（ａ）に示すように、ＯＫゾーン形成体１０は、例えば、太さ１．５〜２ｍｍの表面を樹脂でコーティングしたスチール製のワイヤー１２により直径８０〜９１ｃｍの円形に構成される。なお、ＯＫゾーン形成体１０の材質は、スチールの他に、銅、真鍮、アルミニウム、ゴム、プラスチック又はステンレス等、その他の金属材料や形状記憶合金で形成してもよい。
【００２６】
また、図１（ｂ）に示すように、ＯＫゾーン形成体１０の継手部材１１は、筒状になっており、内壁にネジ構が切られている。ワイヤー１２の一端にネジ１３が固定され、ワイヤー１２のもう一方の端に継手部材１１が空転自在に取り付けられ、ネジ１３に対して継手部材１１を回転させながら螺号させている。
【００２７】
また、図１（ｃ）に示すように、ワイヤー１２の端と端をリング状の筒１１−２（クランプ）に差し込みカシメる方法もある。
そして、図１（ｄ）に示すように、ワイヤー１２は、いくつかの留め金１４により固定されている。
【００２８】
図２（ａ）は、留め金１４の正面図を示し、図２（ｂ）は、留め金１４の側面図を示す図である。図２（ａ）及び（ｂ）に示すように、留め金１４は、ヘヤ−ピンの形状に形成されている。留め金１４は、頭部のヘヤ−ピン形状部分１４−１（係合部）がワイヤー１２の所定箇所と係合され、先端部分１４−２（本体部）がグリーンに挿入されることで、ワイヤー１２をグリーンに固定している。そして、図２（ａ）及び（ｂ）に示すように、先端部分１４−２の表面が凹凸状に構成されていることにより、留め金１４をグリーンから抜け難くしている。
【００２９】
図２（ｃ）〜図２（ｆ）は、留め金１４の先端部分１４−２の他の実施形態を示す図であり、図２（ｃ）及び図２（ｅ）は、正面図であり、図２（ｄ）及び図２（ｆ）は、側面図である。
図２（ｃ）及び（ｄ）に示すような留め金１４は、先端部分の中央部辺りに突起部材１５を備えている。この突起部材１５により、先端部分１４−２の表面が凹凸状の形成となり、留め金１４をグリーンから抜け難くしている。
【００３０】
また、図２（ｅ）及び（ｆ）に示す留め金１４は、先端部に向かって一旦太くなり再び先端部が細くなっている。このように、留め金１４の先端部分の中央部が太くなっていることより、先端部分１４−２の表面が凹凸状の形状となり、留め金１４をグリーンから抜け難くしている。これより、ＯＫゾーン形成体１０におけるグリーンへの固定強度を上げている。
【００３１】
次に、本発明の他の実施形態であるゴルフ用具を説明する。
図３は、本発明の他の実施形態であるゴルフ用具を示す図である。
図３に示されるＯＫゾーン形成体は、上記ＯＫゾーン形成体１０のようにループ状ではなく、例えば、ナイロンパイル等の透水性２層人工芝（人工芝を形成する層と特殊ゴム層との２層構造の人工芝）で円形に構成されるものである。そして、例えば、このＯＫゾーン形成体の人工芝部分の色をグリーンの芝の色と異ならせることによりグリーンとＯＫゾーンとを区別させている。なお、図３に示すＯＫゾーン形成体は、ホールなし、又は、ホールあり、どちらのＯＫゴルフ競技にも使用することができる。
【００３２】
図３（ａ）は、人工芝下方に内装部材３１（維持部材）などを設けたＯＫゾーン形成体をグリーンに設置した場合のグリーンの断面図を示す図である。図３（ａ）に示すＯＫゾーン形成体３０は、人工芝の下に、ウレタンなどの内装部材３１（透水性があり、多少の弾力性を有し、耐久性の高い材料）と人工芝の裏面に予め張り合わされている特殊ゴム層３２とを備えている。この内装部材３１及び特殊ゴム層３２は、ＯＫゾーン形成体３０に設けられる糊代部分３０−１に貼着される接着剤などで固定される。そして、ＯＫゾーン形成体３０を、グリーンの所定箇所に設けられた凹型に埋め込むことにより、ＯＫゾーンをグリーンに形成する。
【００３３】
また、図３（ｂ）は、人工芝下方にＯＫゾーンの形を維持する棒状を設けたＯＫゾーン形成体をグリーンに設置した場合のグリーン断面図を示す図である。図３（ｂ）に示すＯＫゾーン形成体３３は、人工芝の下にリング状の棒状３４と、特殊ゴム層３２とを備えており、ＯＫゾーングリーンにあまり手を加えたくない場合に使用される。この棒状３４は、ＯＫゾーン形成体３３に設けられる糊代部分３３−１に貼着される接着剤などにより固定されている。そして、グリーンの所定箇所に適当な凹型の穴を形成し、その上にＯＫゾーン形成体３３を置き、ＯＫゾーンをグリーンに形成する。
【００３４】
このように、予めＯＫゾーンの大きさを有する人工芝で作られたＯＫゾーン形成体を作成しておくことで、グリーンにＯＫゾーンを形成する際、現地での作業（内装部材を敷き詰めたり、ＯＫゾーン内の人工芝の皺を伸ばしたりする作業など）を簡単とすることができる。また、ＯＫゾーン形成体３３は、人工芝と棒状３４だけで構成され、グリーンをあまり掘らなくて済むので、材料費や工事費などの設置費用を少なくすることができる。
【００３５】
次に、ＯＫゾーン形成体３０又は３３の作成方法を説明する。
図４は、ＯＫゾーン形成体３０又は３３の作成方法を説明するためのフローチャートである。
先ず、ステップＳ１において、作成したいＯＫゾーンの半径ｒ及び糊代の長さｄを決める。なお、この糊代の長さとは、ＯＫゾーン形成体３０の糊代部分３０−１又はＯＫゾーン形成体３３の糊代部分３３−１の長さである。ここでは、例えば、ＯＫゾーンの直径を８４ｃｍ、糊代部分の長さを３．５ｃｍとして説明していく。
【００３６】
次に、ステップＳ２において、人工芝から直径Ａ（２×（半径ｒ＋糊代ｄ））の円形を切り取る。図５（ａ）は、人工芝から直径Ａの円を切り取ったものを示す図である。すなわち、同図に示す直径２（ｒ＋ｄ）は、９１ｃｍであり、直径２ｒは、８４ｃｍである。このとき、人工芝の裏面に張り合わせてある特殊ゴムの糊代部分を剥がし取る。
【００３７】
次に、ステップＳ３において、切り取った人工芝に切り込みを入れて糊代を形成する。図５（ｂ）は、糊代が形成された人工芝を示す図である。ここで、人工芝の糊代の形成方法を説明する。
図６は、人工芝の糊代の形成方法を説明するための図である。
【００３８】
図６（ａ）は、ＯＫゾーン形成体３０に形成される糊代の数とその糊代の数に対応する分割角度との関係を示す表である。
図６（ａ）に示す表の上段は、人工芝に入れられる切り込みの数、すなわち、ＯＫゾーンの分割数ｎを示し、表の下段は、その分割数に対応する分割角度θ（ｄｅｇ）を示している。例えば、６０個の糊代を形成したい場合、分割角度は、図６（ａ）の表に示すように、６度となる。また、２０個の糊代を形成したい場合、分割角度は、１８度となる。なお、分割数が多いほど、糊代部分を折り曲げたときにきれいな円のＯＫゾーンが形成される。
【００３９】
まず、ＯＫゾーンの中心から外側に線を引き、ｎ等分する。例えば、３０等分する場合は、円形の人工芝の中心から外側に線を引いていき、θが１２度の扇型を３０個作る。図６（ｂ）は、ｎ個の扇型の内の１つの扇型を示す図である。図６（ｂ）に示すθは、分割数ｎに対応する角度であり、ｒは、ＯＫゾーンの半径であり、ｄは、糊代の長さである。
【００４０】
次に、図６（ｂ）に示すように、人工芝の中心から各扇型の２等分線を引き、更に、ＯＫゾーンを形成する内側の円とｎ等分するために形成した分割線との交点から、２等分線と平行になるように、外側に線を引く。すると、図６（ｃ）に示すような扇型６０が形成される。この扇形６０をｎ−１個、円形の人工芝から切り取ることで、糊代を人工芝に形成することができる。なお、この扇型６０の各辺は、ａ≒ｄ÷ｃｏｓ（θ／２）、ａ＝ｂである。
【００４１】
図５（ｃ）は、図５（ｂ）のＯＫゾーン形成体３０の糊代部分を円面に対して垂直に曲げた場合のＡ−Ａ’断面図である。図５（ｃ）に示すＯＫゾーン形成体３０は、人工芝の円面に対して垂直に糊代を曲げても、糊代部分が重ならずに、曲げることができる。
【００４２】
次に、糊代部分を人工芝の円面に対して裏面まで折り返す場合の糊代部分の作成方法を説明する。
図７は、糊代部分を人工芝の円面に対して裏面まで折り返す場合の糊代部分の形成方法を説明する図である。
【００４３】
先ず、人工芝の円面に対して垂直に糊代を曲げる場合と同様に、図６（ａ）の表を用いて、形成したい糊代の個数に対応する分割角度を決め、円形に形成した人工芝の中心から外側に分割線を形成していく。
次に、図７（ｂ）に示すように、切り込みを入れ、糊代を作成する。図８は、人工芝の糊代の形成方法を説明するための図である。図８（ａ）は、ｎ個の扇型の内の１つの扇型を示す図である。図８（ａ）に示すθは、分割数ｎに対応する角度であり、ｒは、ＯＫゾーンの半径であり、ｄは、糊代の長さである。
【００４４】
そして、ｎ等分された人工芝は、図８（ａ）に示すように、ＯＫゾーンを形成する内側の円とｎ等分するために形成した分割線との交点から、向い隣にある分割線と平行になるように、外側に向かって線を形成する。すると、図８（ｂ）に示すような扇型８０が形成される。この扇形８０をｎ−１個、円形の人工芝から切り取ることで、糊代を人工芝に形成することができる。なお、この扇型８０の各辺は、ａ≒ｄ÷ｃｏｓ（θ）、ａ＝ｂである。
【００４５】
そして、この糊代部分を人工芝の円面に対して裏面まで折り返す。
図７（ｃ）は、図７（ｂ）のＯＫゾーン形成体３３の糊代部分を円面に対して裏面に折り返した場合のＢ−Ｂ’断面図である。図７（ｃ）に示すように、ＯＫゾーン形成体３３は、人工芝の円面に対して裏面まで折り返しても、糊代部分が重ならずに、折り返すことができる。
【００４６】
そして、ステップＳ４において、ＯＫゾーン形成体３０の場合は、直径約８０〜９１ｃｍ、厚さ約２．５ｃｍ程度の内装部材３１に人工芝を覆いかぶせ、糊代部分３０−１の裏面に糊や接着剤などを全体に貼付し、糊代部分３０−１を円面に対して内側に折り、内装部材をしっかりと固定し、完成する。また、ＯＫゾーン形成体３３の場合は、太さ約２〜５ｍｍの樹脂又は金属を材質とする棒状３４を使用して直径約８３ｃｍの円形をつくり、その棒状３４に人工芝を覆いかぶせ、糊代部分３３−１の裏面に糊や接着剤などを貼付し、糊代部分３３−１を円面に対して内側に折り返し、棒状３４をしっかりと固定し、完成する。なお、糊代部分３０−１又は３３−１の裏面を予め接着面にしておき、内装部材３１や棒状３４を固定する際に、接着面の上のカバーシートを剥がし、内装部材３１又は棒状３４を固定してもよい。
【００４７】
そして、天然芝のパッティンググリーン上の一部に直径８０〜９１ｃｍ、深さ約３０ｍｍの凹地を設け、その凹地に砂などを入れて整地し、ＯＫゾーン形成体３０又は３３を、ＯＫゾーンの人工芝と天然芝とが一平面になるようにセットする。なお、状況により、ＯＫゾーン形成体の張りを維持するためにスプリングの一端をＯＫゾーン形成体に取り付け、スプリングの他端をグリーンに取り付けてもよい。
【００４８】
また、図９は、本発明の他の実施形態であるゴルフ用具を示す図である。
図９（ａ）に示すゴルフ用具９０は、ゴルフクラブであって、シャフト９１を有し、その一端にアイアンなどのクラブヘッド９２が形成され、もう一方の端にパターなど他の種類のクラブヘッド９３が形成される。また、シャフト９１の両側には、グリップ９４が形成される。
【００４９】
本実施形態のゴルフ用具であるゴルフクラブで特徴するところは、一方のクラブヘッド９２がもう片方のクラブヘッド９３に対して角度をもって形成されている点である。
図９（ｂ）は、ゴルフクラブ９０の上方（クラブヘッド９２からクラブヘッド９３に向う方向）から見た図である。図９（ｂ）に示すように、クラブヘッド９２とクラブヘッド９３は、クラブヘッド９２の打球面と平行な直線Ａとクラブヘッド９３の打球面と平行な直線Ｂとがシャフトを中心にして所定の角度をもって形成されている。これより、プレイヤー側に向けられるクラブヘッドがプレイヤーの手や腕などに当らなくなる。そして、このプレイヤー側に向けられるクラブヘッドがプレイヤーの手や腕に当らなくなる所定の角度は、１２〜２４度の角度である。なお、この１２〜２４度は、実際にどの角度で手や腕が当らなくなるのか何度も試すことで得られた実験的な数値である。また、ヘッドの種類（形状や大きさなど）が異なる場合でも上記角度の範囲内でプレイヤーの手や腕に当らない。
【００５０】
また、図１０は、本発明の他の実施形態であるゴルフ用具を示す図である。
図１０（ａ）は、本発明の他の実施形態であるゴルフ用具の外観斜視図である。図１０（ａ）に示すゴルフ用具１００は、ゴルフホールであって、台座１０１と、この台座１０１のほぼ中央に立設されるポール１０２と、台座１０１の上面からやや上がった位置に定置されるボール保持体１０３と、台座１０１の底中央部から下方にのび、ゴルフ用具１００全体を支える支持棒１０４（固定部材）とを備えている。
【００５１】
上記ボール保持体１０３は、アルミニウムの鋏み型で形成してあるが、銅、真鍮、鉄その他の金属材料などで形成することができる。また、ボール保持体１０３は底面部とこの底面部から外側へ傾斜して迫り上がる側面部とを有する略擂り鉢状の形態に形成してある。
【００５２】
また、ボール保持体１０３の側面部の外壁面には、スポンジ、人工芝、ゴム、フェルト、刷子様体、植毛体又は発砲ポリエステル、発砲ポリスチレンその他の発砲性プラスチック材料で形成されるクッション材料を保定してある。なお、クッション材料を底面部の外壁面に形成することもある。また、刷子様体又は植毛体はボール保持体に直接植毛したり、ボール保持体に直接刷子様体を生やすようにしたり、毛体や刷子様体を生やした基布をボール保持体１０３に接着材や粘着テープなどで保定することができる。
【００５３】
また、図１０（ｂ）は、ゴルフホール１００の断面図である。図１０（ｂ）に示すように、ボール保持体１０３は、台座１０１により保持されている。そして、地面若しくは台座１０１の上面からのボール保持体１０３の高さは、ボールが挟まれ易い高さとする。
【００５４】
また、台座１０１は、ステンレスなどで形成し、ボール保持体１０３と同様の材料で形成することができる。台座１０１のほぼ中央には、例えば、アルミニウムでポール１０２の筒体に遊嵌される突円体を固定してある。この突円体の下方にはフランジ部を形成してあり、このフランジ部と台座１０１で保持されている。
【００５５】
また、ポール１０２は、アルミニウムなどのパイプで形成しているが、他の金属材料又はプラスチック材料で形成することもできる。そして、実際に使用する際にはポール１０２の頂部に旗を設けるとよい。また、ポール１０２の上方の先端にはビニールキャップを止着してある。
【００５６】
このように、本実施形態のゴルフ用具であるゴルフホール１００は、台座１０１の下底面に下方に伸びる支持棒１０４を備えているので、グリーンにその支持棒１０４を突き刺すことによって、ゴルフホールを固定することができるので、雨風の強い日においても安心して競技することができる。
【００５７】
【発明の効果】
本発明のように、ＯＫゾーンにゴルフボールを留めて競うゴルフ競技に使用され、そのＯＫゾーンを形成するＯＫゾーン形成体をグリーンに固定するためのゴルフ用具において、グリーンに挿入される本体部の表面を凹凸状に形成しているので、ＯＫゾーン形成体がグリーンから抜けにくくなり、ＯＫゾーン形成体の固定強度を上げることができる。
【００５８】
また、人工芝からＯＫゾーン形成体を作成することによって、簡単にグリーン上にＯＫゾーンを形成することができる。
また、シャフトの両端にクラブヘッドを形成したゴルフ用具において、一方のクラブヘッドの打球面と他方のクラブヘッドの打球面とが角度を有してシャフトの両端に形成されているので、プレイヤー側にあるクラブヘッドがプレイヤーの手や腕などに当らなくなる。
【００５９】
また、グリーン内に設けられるＯＫゾーンにゴルフボールを留めて競うゴルフ競技に使用され、ＯＫゾーンを形成するゴルフ用具において、備えられる台座の底面から下方に伸びる固定部材を備えることによって、ゴルフ用具をグリーンに固定することができ、雨風の強い日においても安心して競技を行うことができる。
【図面の簡単な説明】
【図１】本発明の実施形態であるゴルフ用具を示す図である。
【図２】本発明の他の実施形態であるゴルフ用具を示す図である。
【図３】ＯＫゾーン形成体の作成方法を説明するためのフローチャートである。
【図４】（ａ）は、人工芝から直径Ａの円を切り取られたものを示す図である。（ｂ）は、糊代が形成された人工芝を示す図である。（ｃ）は、Ａ−Ａ’断面図である。
【図５】（ａ）は、ＯＫゾーンの周りに形成する糊代の数とその糊代の数に対応するＯＫゾーンの分割角度との関係を示す表である。（ｂ）は、ｎ等分されたＯＫゾーンの内の１つの部分を示す図である。（ｃ）は、切り取り部分を示す図である。
【図６】（ａ）は、人工芝から直径Ａの円を切り取られたものを示す図である。（ｂ）は、糊代が形成された人工芝を示す図である。（ｃ）は、Ｂ−Ｂ’断面図である。
【図７】（ａ）は、ｎ等分されたＯＫゾーンの内の１つの部分を示す図である。（ｂ）は、切り取り部分を示す図である。
【図８】（ａ）は、糊代を垂直に曲げた場合のグリーンの断面図を示す図である。（ｂ）は、糊代を裏面まで折り返した場合のグリーン断面図を示す図である。
【図９】本発明の他の実施形態であるゴルフ用具を示す図である。
【図１０】本発明の他の実施形態であるゴルフ用具を示す図である。
【図１１】従来のゴルフ用具を示す図である。
【符号の説明】
１０　ＯＫゾーン形成体
１４　留め金
１５　突起部材
３０　ＯＫゾーン形成体
３３　ＯＫゾーン形成体
９０　ゴルフクラブ
１００　ゴルフホール
１０４　支持棒
【図１】
2004135865.tif 000003
【図２】
2004135865.tif 000004
【図３】
2004135865.tif 000005
【図４】
2004135865.tif 000006
【図５】
2004135865.tif 000007
【図６】
2004135865.tif 000008
【図７】
2004135865.tif 000009
【図８】
2004135865.tif 000010
【図９】
2004135865.tif 000011
【図１０】
2004135865.tif 000012
【図１１】
2004135865.tif 000013